(57)【要約】【課題】壁部又は天井部等の設置場所にかかわらずシャッターが落下するおそれのない換気扇を得ること。【解決手段】排気吸込口４が形成された面板３を有し前記排気吸込口の後方に配置されるファンモータ１を保持する本体フレーム２と、前記面板の前面に装着され前記排気吸込口を開閉するシャッター５と、を備える換気扇１００において、前記面板の前面に、前記シャッターを横方向から前記面板上をスライドさせて係合させる鉤状の引掛け部６ａ、６ｂを設けた。【選択図】        図１
2006343049.tif 000002
【特許請求の範囲】
【請求項１】
排気吸込口が形成された面板を有し前記排気吸込口の後方に配置されるファンモータを保持する本体フレームと、前記面板の前面に装着され前記排気吸込口を開閉するシャッターと、を備える換気扇において、
前記面板の前面に、前記シャッターを横方向から前記面板上をスライドさせて係合させる鉤状の引掛け部を設けたことを特徴とする換気扇。
【請求項２】
前記シャッターの上部と下部の一方に、所定幅の複数の張出し部を横方向に設け、他方には所定幅の単数又は複数の張出し部を横方向に設け、前記複数の張出し部に対応させて複数の所定幅の引掛け部を前記面板の前面に配置したことを特徴とする請求項１に記載の換気扇。
【請求項３】
排気吸込口が形成された面板を有し前記排気吸込口の後方に配置されるファンモータを保持する本体フレームと、シャッター枠及び該シャッター枠に揺動可能に取付けられたシャッタープレートを有し前記面板の前面に装着され前記排気吸込口を開閉するシャッターと、前記シャッター及び前記面板を覆うように前記面板外周部に装着されるグリルと、を備える換気扇において、
前記シャッター枠のフランジ部の複数ヶ所に形成された横方向に所定幅の張出し部と、
前記面板上の複数ヶ所に設けられ前記張出し部が前記面板上を横方向からスライドして係合する横方向に所定幅の鉤状の引掛け部と、
前記面板上に設けられ前記張出し部が前記引掛け部と係合する正規位置までスライドしたときに前記シャッターに当接して該シャッターのスライドを止めるストッパと、
前記シャッター枠のフランジ部に形成された係合部と、
前記面板上に設けられ、前記シャッターが前記正規位置までスライドしたときに前記係合部に係合して前記シャッターのスライドをロックする被係合部と、
を備えることを特徴とする換気扇。
【請求項４】
前記シャッター枠に設けられ、前記シャッターが前記正規位置までスライドしていないときには、前記面板外周部にあって前記グリルと干渉して該グリルの前記本体フレームへの装着を妨害する干渉部を有することを特徴とする請求項３に記載の換気扇。
【請求項５】
前記干渉部が、前記シャッターを前記面板に装着するときに抓むツマミ部であることを特徴とする請求項４に記載の換気扇。
【発明の詳細な説明】
【技術分野】
【０００１】
本発明は、換気口を開閉するシャッターを備える換気扇に関するものである。
【背景技術】
【０００２】
壁部又は天井部の換気口に埋設した通風パイプ等に装着され、屋内空気を換気する従来の換気装置として、ファンモータ部を設け周辺を枠状に形成したフレームと、このフレームのほぼ中央部に設けられるファンの吸込口に対応するベルマウスと、空気流路の開閉を行うシャッター部と、このシャッター部を覆う形状で前記フレームに装着されるカバーとを備え、前記シャッター部に前記フレームに着脱自在な取付部材を形成し、前記取付部材の側部の一方に、フレームの枠状部に設けた掛部に引掛けられる引掛け部を設け、他方にはフレームの枠状部に設けた係合部に係合し着脱自在にロックされるＵ字ばね状のロック機構を設け、前記引掛け部を介して前記取付部材が開閉できる構成としたものがある。
【０００３】
【特許文献１】特開２００４−１１６８９７号公報
【発明の開示】
【発明が解決しようとする課題】
【０００４】
しかしながら、上記従来の技術によれば、シャッター部が引掛け部及びＵ字ばね状のロック機構によりフレームに取付けられるので、換気装置が天井部に設置された場合、シャッター部の自重がＵ字ばね状のロック機構に作用し、ロック機構がフレームの係合部から外れてシャッター部が落下するおそれがある、という問題があった。
【０００５】
本発明は、上記に鑑みてなされたものであって、壁部又は天井部等の設置場所にかかわらずシャッターが落下するおそれがなく、片手操作でシャッターを本体フレームに着脱することができ、シャッターの誤装着のおそれのない換気扇を得ることを目的とする。
【課題を解決するための手段】
【０００６】
上述した課題を解決し、目的を達成するために、本発明は、排気吸込口が形成された面板を有し前記排気吸込口の後方に配置されるファンモータを保持する本体フレームと、前記面板の前面に装着され前記排気吸込口を開閉するシャッターと、を備える換気扇において、前記面板の前面に、前記シャッターを横方向から前記面板上をスライドさせて係合させる鉤状の引掛け部を設けたことを特徴とする。
【発明の効果】
【０００７】
この発明によれば、本体フレームの面板の前面に、シャッターを横方向から面板上をスライドさせて係合させる鉤状の引掛け部を設けたので、壁部又は天井部等の設置場所にかかわらずシャッターが下方又は前方へ落下するおそれがない換気扇が得られるという効果を奏する。
【発明を実施するための最良の形態】
【０００８】
以下に、本発明にかかる換気扇の実施の形態を図面に基づいて詳細に説明する。なお、この実施の形態によりこの発明が限定されるものではない。
【０００９】
実施の形態
図１は、本発明にかかる換気扇の実施の形態を示す分解斜視図であり、図２は、換気扇にシャッターを取付ける前の状態を示す斜視図であり、図３は、シャッターの背面図であり、図４は、グリルを取外した換気扇の斜視図であり、図５は、張出し部と引掛け部の係合状態を示す斜視図であり、図６は、ツマミの拡大斜視図であり、図７は、シャッターを取付けた換気扇の断面図であり、図８は、係合凸部と係合孔の係合状態を示す断面図であり、図９は、上部の引掛け部の側面図であり、図１０は、下部の引掛け部の側面図である。
【００１０】
図１に示すように、換気扇１００は、略矩形に形成された樹脂製の本体フレーム２と、本体フレーム２の後部に配置され本体フレーム２に保持されたファンモータ１と、ファンモータ１に駆動されるファン１ａと、本体フレーム２の面板３の前面に装着され換気口を開閉する樹脂製のシャッター５と、本体フレーム２の面板３及びシャッター５を覆い面板３外周部に装着され、屋内の換気吸込口となる樹脂製のグリル８と、を備えている。
【００１１】
図１及び図７に示すように、本体フレーム２は、略中央部に円形の排気吸込口４が形成された略矩形の面板３と、面板３の外周部に形成された枠部２ａと、排気吸込口４に接続され面板３の後方へ延在してファンモータ１を保持し、通風パイプに嵌合される排気筒２ｂと、を有している。
【００１２】
シャッター５は、樹脂により略矩形に形成されたシャッター枠５ｂと、シャッター枠５ｂに横向きに設置され、排気吸込口４（換気口）を閉じる下向き位置と排気吸込口４を開く前向き位置（図１参照）とに揺動する複数の羽根状のシャッタープレート５ａと、を有している。
【００１３】
グリル８は、略矩形の前面に縦方向スリット状の複数の通風口８ａが形成され、前面の外周部にグリル側面としての枠部８ｂを有する箱形に形成されている。
【００１４】
シャッター枠５ｂは、本体フレーム２の面板３の前面に当接するフランジ部５ｅと、フランジ部５ｅの内周部から前方へ立上る立上り部５ｄと、を有している。立上り部５ｄには、シャッタープレート５ａを揺動可能に保持する保持部５ｆが形成されている。
【００１５】
図２に示すように、シャッター枠５ｂのフランジ部５ｅの上部には、シャッター枠５ｂを本体フレーム２の面板３の前面に係止して装着するための横方向に所定幅（２〜３ｃｍ程度）の台形状の横方向２ヶ所の上部の張出し部７ａが形成され、フランジ部５ｅの下部には、１ヶ所の右端から中央部までの幅の下部の張出し部７ｂが形成されている。また、フランジ部５ｅの右側部には、鉤形に前方に屈曲する干渉部としてのツマミ部９が形成されている。
【００１６】
図２、図９及び図１０に示すように、本体フレーム２の面板３の前面の上部には、上部の張出し部７ａを係合させる横方向に所定幅（２〜３ｃｍ程度）の鉤状の横方向２ヶ所の上部の引掛け部６ａ、６ａが張出し部７ａ、７ａに対応させて配置され、面板３の前面の下部には、下部の張出し部７ｂを係合させる横方向に所定幅（２〜３ｃｍ程度）の１ヶ所の下部の引掛け部６ｂが配置されている。上部の引掛け部６ａ及び下部の引掛け部６ｂの横方向（左右方向）の幅は、上部の張出し部７ａの幅と略同一に形成されている。
【００１７】
２ヶ所の上部の引掛け部６ａ、６ａを連続する１つの上部の引掛け部６ａとして形成してもよいが、連続する１つの上部の引掛け部６ａとして形成すると、シャッター５を取り外すときにスライドさせる量が多くなる。本実施の形態では、上部の引掛け部６ａを横方向に所定幅の２ヶ所の引掛け部６ａ、６ａとし、シャッター枠５ｂの上部の張出し部７ａを横方向に所定幅の２ヶ所の張出し部７ａ、７ａとすることにより、シャッター５の取り外し時のスライド量を少なくして取り外しやすくしている。
【００１８】
シャッター５を本体フレーム２に装着するときは、図２に示すように、シャッター枠５ｂのフランジ部５ｅ左側を本体フレーム２の面板３の右側に当接させた状態でシャッター５を左方（横方向）へスライドさせ、図５に示すように、シャッター５の張出し部７ａ、７ｂをそれぞれ本体フレーム２の引掛け部６ａ、６ｂに重ね合わせて係合させる。
【００１９】
図２に示すように、本体フレーム２の面板３の左下角部には、シャッター５が左方へスライドして張出し部７ａ、７ｂと引掛け部６ａ、６ｂが重なり合って係合する正規位置に来たときにシャッター５の左端に当接してシャッター５のスライドを止めるＬ字形のストッパ１２が設けられている。正規位置では、下部の張出し部７ｂの左端が下部の引掛け部６ｂの左端に一致するように下部の引掛け部６ｂが配置されている。
【００２０】
図２、図３及び図８に示すように、本体フレーム２の面板３の右側部２ヶ所には、被係合部又は係合部としての半球状の係合凸部１０が設けられ、シャッター枠５ｂの右側のフランジ部５ｅ２ヶ所には、係合凸部１０が係合する係合部又は被係合部としての係合孔１１が形成され、シャッター５が上記の正規の装着位置までスライドしたときに係合凸部１０と係合孔１１が係合し、シャッター５の左右方向へのスライドをロックするようになっている。
【００２１】
図２及び図４に示すように、シャッター５を本体フレーム２に装着するときは、右手でシャッター５の右側のツマミ部９を抓み、シャッター５のフランジ部５ｅ左側を本体フレーム２のフランジ部３の右側に当接させ、シャッター５を左方へスライドさせ、図５に示すように、シャッター５の上部の張出し部７ａ、７ａ、下部の張出し部７ｂをそれぞれ本体フレーム２の上部の引掛け部６ａ、６ａ、下部の引掛け部６ｂに係合させ、かつ、シャッター５の左端をストッパ１２に当接させ、本体フレーム２の面板３の右側の係合凸部１０と、シャッター５の右側のフランジ部５ｅの係合孔１１とを係合させる。
【００２２】
シャッター５は、本体フレーム２の面板３、上部の引掛け部６ａ、６ａ、下部の引掛け部６ｂ、ストッパ１２及び係合凸部１０により、本体フレーム２に対して、上下、左右及び前後へ動かないように係止されるので、換気扇１００が、天井へ設置されてもシャッター５が重力により落下することはなく、また、シャッター５のツマミ部９を抓んで片手操作により本体フレーム２に装着することができる。
【００２３】
また、上部の張出し部７ａが横方向に所定幅に形成され、上部及び下部の引掛け部６ａ、６ｂが横方向に所定幅に形成され、シャッター５の正規位置では、上部の張出し部７ａと上部の引掛け部６ａが重なり合い、かつ、下部の張出し部７ｂの左端が下部の引掛け部６ｂの左端に一致しているので、シャッター５を前記の正規位置から右方へ所定幅スライドさせれば、張出し部７ａ、７ｂと引掛け部６ａ、６ｂとの係合を解いてシャッター５を前方へ取り外すことができる。
【００２４】
また、図４及び図６に示すように、シャッター５を前記の正規位置までスライドさせないと、干渉部としてのツマミ部９が面板３から右側にはみ出すようになっていて、グリル８を本体フレーム２に装着するとき、グリル８の側面（枠部）８ｂとツマミ部９が干渉して、グリル８を本体フレーム２に装着することができないようになっている。これにより、シャッター５の誤装着を防止することができる。
【００２５】
なお、２ヶ所の上部の引掛け部６ａ、６ａを連続する１つの上部の引掛け部６ａとして形成してもよい。また、張出し部７ａ、７ｂを設けずに、シャッター枠５ｂのフランジ部５ｅのレール状の上部及び下部を直接、引掛け部６ａ、６ｂに係合させてもよい。また、所定幅の上部の張出し部７ａ及び引掛け部６ａを１ヶ所とし、所定幅の下部の張出し部７ｂ及び引掛け部６ｂを２ヶ所としてもよい。また、ストッパ１２の設置位置は、本体フレーム２の面板３の左下角部でなくても面板３上の任意の位置に設置することができる。また、干渉部は、ツマミ部９とは別に、シャッターフレーム５ｂの張出し部として設けてもよい。また、面板３に係合孔１１を設け、シャッター枠５ｂに係合凸部１０を設けてもよい。
【産業上の利用可能性】
【００２６】
以上のように、本発明にかかる換気扇は、壁部又は天井部の換気口に埋設した通風パイプ等に装着されパイプ用換気扇に有用であり、特に、天井部に設置される換気扇に適している。
【図面の簡単な説明】
【００２７】
【図１】本発明にかかる換気扇の実施の形態を示す分解斜視図である。
【図２】換気扇にシャッターを取付ける前の状態を示す斜視図である。
【図３】シャッターの背面図である。
【図４】グリルを取外した換気扇の斜視図である。
【図５】張出し部と引掛け部の係合状態を示す斜視図である。
【図６】ツマミの拡大斜視図である。
【図７】シャッターを取付けた換気扇の断面図である。
【図８】係合凸部と係合孔の係合状態を示す断面図である。
【図９】上部の引掛け部の側面図である。
【図１０】下部の引掛け部の側面図である。
【符号の説明】
【００２８】
１  ファンモータ
１ａ  ファン
２  本体フレーム
２ａ  枠部
３  面板
４  排気吸込口
５  シャッター
５ａ  シャッタープレート
５ｂ  シャッター枠
５ｄ  立上り部
５ｅ  フランジ部
５ｆ  保持部
６ａ，６ｂ  引掛け部
７ａ，７ｂ  張出し部
８  グリル
８ａ  通風口
８ｂ  グリル側面（枠部）
９  ツマミ
１０  係合凸部
１１  係合孔
１２  ストッパ
１００  換気扇
【図１】
2006343049.tif 000003
【図２】
2006343049.tif 000004
【図３】
2006343049.tif 000005
【図４】
2006343049.tif 000006
【図５】
2006343049.tif 000007
【図６】
2006343049.tif 000008
【図７】
2006343049.tif 000009
【図８】
2006343049.tif 000010
【図９】
2006343049.tif 000011
【図１０】
2006343049.tif 000012